(57)【要約】      （修正有）【課題】以前使用した人の個人情報を保護すると共に、開封したリユース封筒Ａに封をして再利用することができ、又、従来の封筒も再利用を可能とすることができる封筒の提供。【解決手段】独立した任意形状の、封筒リユース用ラベルシールＢに、開封位置を示すキリトリ線及び差出人欄と宛先欄を設け、リユース封筒Ａのａと、封筒リユース用ラベルシールＢを同じサイズの形状にすることにより、封筒リユース用ラベルシールＢを、キリトリ線３より開封したリユース封筒Ａに貼る。【選択図】図１
0003115280.tif 000002
【実用新案登録請求の範囲】
【請求項１】
開封位置を示すキリトリ線及び差出入記入欄と宛先記入欄を有する独立した任意形状の封筒リユース用ラベルシール。
【請求項２】
使用済み封筒の開口部を跨いで表と裏面に二つ折りにして貼付けることて、使用済みの封筒を封緘し再利用することができる請求項１記載の封筒リユース用ラベルシール。
【請求項３】
請求項１記載の封筒リユース用ラベルシールを使用して再利用することを前提としたリユース封筒。
【考案の詳細な説明】
【技術分野】
【０００１】  本考案は封筒を再利用する為の封筒リユース用ラベルシールと封筒リユース用ラベルシールを使用して再利用することを前提としたリユース封筒に関するものである。
【背景技術】
【０００２】  リユースとは再利用と同様の意味を持つものである。【０００３】  従来の封筒は再利用が基本的に不可能である。【０００４】  現在流通しているリユース封筒は１つの封筒に切手貼付け欄、差出入記入欄、宛先記入欄を３カ所づつ設けている。
【実用新案登録文献】
実開平５−６８８４２号  公報
【考案の開示】
【考案が解決しようとする課題】
【０００５】  以上に述べた従来のリユース封筒は以前使用した人の個人情報を保護していない。また、開封した場所の処理が不明確である。【０００６】  先行文献、実開平５−６８８４２は決められた２点間を往復する事しかできない。【０００７】  本考案はこのような従来の構成が有していた問題を解決しようとするものであり、以前使用した人の個人情報を保護しながら、使用済み封筒の再利用を実現することを目的とするものである。
【課題を解決するための手段】
【０００８】  そして、本考案は上記目的を達成する為に、独立した任意形状の封筒リユース用ラベルシールを使用済み封筒に記載された差出入及び宛先の住所と氏名を覆い隠す様に貼るものである。また、封筒リユース用ラベルシールは使用済み封筒の開口部を跨いで表と裏面に二つ折りにして貼付けることで前記封筒に封をするものである。【０００９】  上記の課題解決手段による作用は次の通りである。すなわち、差出入記入欄と宛先記入欄を有した封筒リユース用ラベルシールを使用済み封筒の開口部を跨いで表と裏面に二つ折りにして貼付けることにより、前回使用した人の個人情報を覆い隠し、新たな差出入及び宛先の住所と氏名を記載することができる。また、同時に前記封筒の開口部を封緘し再利用することができる。【００１０】  また、上記封筒に、封筒リユース用ラベルシールを貼り替えたり重ね貼りすることにより、複数回利用を可能とするものである。
【考案の効果】
【００１１】  上述したように本考案の封筒リユース用ラベルシールは、以前封筒を使用した人の個人情報を保護しながら、一度開封した封筒に封をすることができると共に従来の封筒ではありえなかった封筒の再利用を可能とすることができる。【００１２】  また、リユース封筒は開封位置、差出入記入位置、宛先記入位置を封筒リユース用ラベルシールと同じサイズの形状とした為、誰にでも分かりやすく簡単に再利用できるという効果を発揮するものである。
【考案を実施するための最良の形態】
【００１３】  以下、本考案の実施の形態を図１〜図７に基づいて説明する。【００１４】  図においては、Ａはリユース封筒で差出入記入欄１、宛先記入欄２、キリトリ線３、切手貼付け欄５及び６で構成され、折り線８より折って封緘して使用する。【００１５】  Ｂは封筒リユース用ラベルシールで差出入記入欄１、宛先記入欄２、キリトリ線３で構成され、使用済み封筒の開口部を跨いで表と裏面に貼付けるよう、折り線８より二つ折りにして使用される。また、封筒リユース用ラベルシールＢは宛先記入欄２側を前記封筒の裏面に貼れば、前記封筒の裏面が表と同様に使用できる。【００１６】  リユース封筒Ａは、和封筒及び洋封筒の上下左右に関わらず、封緘した状態でキリトリ線３、差出入記入欄１もしくは宛先記入欄２、切手貼付け欄５もしくは６の順に構成される。【００１７】  尚、図１と図２において、差出入記入欄１、宛先記入欄２、キリトリ線３は同様の意味をなす別の表記にしてもよい。また、キリトリ線３、切手貼付け欄５及び６、環境マーク４、簡単な説明文７は省略してもよい。【００１８】  独立した封筒リユース用ラベルシールＢは、リユース封筒Ａの差出人記入欄１と宛先記入欄２を覆い隠し、一度開封した封筒本体Ａを封緘できれば、どんな形状でも構わない。しかしリユース封筒Ａのａと同じサイズの形状であれば最も使用しやすい。また、封筒に同封すれば返信用ラベルシールとすることができる。【００１９】  以下、上記構成の使い方を説明する。リユース封筒Ａは、差出入記入欄１及び宛先記入欄２に住所と氏名を記入した後、手紙等を前記封筒に入れてから折り線８より折って封をする。また、切手は宛先記入欄２側の切手貼付け欄５に貼る。【００２０】  開封はキリトリ線３より開封する。【００２１】  封筒リユース用ラベルシールＢは、キリトリ線３より開封したリユース封筒Ａを再利用する際に使用する。【００２２】  上記、封筒リユース用ラベルシールＢは、以前使用した人の個人情報を保護しなくてもよければ、従来の封筒に貼って使用することもできる。【００２３】  封筒リユース用ラベルシールＢは、差出入記入欄１及び宛先記入欄２に住所と氏名を記入した後、手紙等をキリトリ線３より開封したリユース封筒Ａに入れてから、封筒リユース用ラベルシールＢを前記封筒の開口部を跨いで裏と表面のａに合わせて、折り線８より折って貼り封緘する。また、切手は前記封筒に貼った、封筒リユース用ラベルシールＢの宛先記入欄２側の切手貼付け欄５または６の空いている場所に貼る。【００２４】  料金別納や速達等の特記事項は、リユース封筒Ａ及び封筒リユース用ラベルシールＢの、宛先記入欄２側の空いているスペースを使用する。また前記スペースに切手を貼ってもよい。【００２５】  リユース封筒Ａと封筒リユース用ラベルシールＢの組み合わせを正しく使用すれば、切手貼付け欄５と６に使用した切手が残るので使用済み切手をボランティア団体等へ寄付することもできる。
【図面の簡単な説明】
【００２６】
【図１】  二つ折りにて使用される、封筒リユース用ラベルシールの展開した形状
【図２】  リユース封筒の封緘部分を展開した形状
【図３】  リユース封筒を折り線８より折って封緘した形状の表
【図４】  図３の裏面
【図５】  キリトリ線３より開封したリユース封筒Ａを封筒リユース用ラベルシールＢにて封緘した形状の表
【図６】  図５の裏面
【図７】  図５におけるｂ−ｂ線断面図
【符号の説明】
【００２７】  Ａ  リユース封筒
Ｂ  本考案の独立した、封筒リユース用ラベルシール
ａ  封筒本体のラベルシール貼付けスペース
１  差出入記入欄
２  宛先記入欄
３  キリトリ線
４  環境マーク
５  切手貼付け欄
６  裏面の切手貼付け欄
７  簡単な説明文
８  折り線
９  封筒リユース用ラベルシール
１０  キリトリ線３より開封したリユース封筒
【図１】
0003115280.tif 000003
【図２】
0003115280.tif 000004
【図３】
0003115280.tif 000005
【図４】
0003115280.tif 000006
【図５】
0003115280.tif 000007
【図６】
0003115280.tif 000008
【図７】
0003115280.tif 000009